(57)【要約】      （修正有）【課題】均一に譜面を照明すると共に、発光ダイオードからの光が譜面台の側面方向及び背面方向にも広がらず舞台照明演出効果を高める携帯型譜面台用照明器具を提供する。【解決手段】内面に反射処理を施した箱型支持台２に発光部が開口部より突出しないように発光ダイオード３を複数個設け光の漏れを防ぐ構造とした。また箱型支持台２と譜面台に固定するための固定用治具４とを可とう性の板５で接続し煽り方向、高さ方向への調整を可能とし譜面台を均一に照明できる構造とした。【選択図】図１
2011060434.tif 000002
【特許請求の範囲】
【請求項１】
全体図（１）で示すように、譜面台を側面及び背面へ光が漏れることなく照明する照明手段と、譜面台を均一に照明する可とう部とを備え、電池駆動による携帯を可能とした携帯型譜面台照明器具において、
内面に反射コーテイングを施し、開口部を下にした、譜面台の幅以下の長さの箱型の支持台（２）の内側に、発光ダイオード（３）の先端が箱型支持台（２）の開口部より外に突出しないように発光ダイオード（３）を設けた携帯型譜面台照明器具。
【請求項２】
上記装置において、箱型支持台（２）と可とう性の板（５）とを保持時具（４）で接続し、可とう性の板の他端に譜面台固定治具（６）を設けた携帯型譜面台照明器具。
【請求項３】
上記装置において電気的に接続された発光ダイオード（３）と照明部側電線（８）及びジャック（９）を、電気的に接続された電池ボックス（１２）と電池側電線（１１）及びプラグ（１０）に接続した、電池駆動による携帯型譜面台照明器具。
【発明の詳細な説明】
【技術分野】
【０００１】
本発明は譜面台を照明するための携帯型照明器具に関するものである。
【背景技術】
【０００２】
従来の楽器演奏に用いられる譜面台の照明としては、複数の回動軸により連結した回転可能な発光部をクリップにて直接譜面台に取り付け、譜面全体を均一に照明する機構を施したものがある（例えば、特許文献１参照。）また、クリップに接続した１軸方向の回転機構を有したホルダー上に、複数個の発光ダイオードを配置しているものもある。（例えば、非特許文献１参照）
【先行技術文献】
【特許文献】
【０００３】
【特許文献１】特開平１０−３８０２（ｐ２１、図１２）
【非特許文献】
【０００４】
【非特許文献１】「２００８  ＰＲＯＤＵＣＴＳ」，オオハシ産業株式会社，２００８年，ｐ．６
【発明の概要】
【発明が解決しようとする課題】
【０００５】
以上に述べた従来の携帯型照明器具では次のような欠点があった。
発光ダイオードの設置間隔が狭すぎる、または個数が少ないために譜面台の照明にムラを生じ演奏者並びに指揮者にとって譜面が見づらいものとなっている。
【０００６】
発光ダイオードの位置が取り付け台位置より突出しており発光ダイオードより発した
光が譜面台の側面方向及び背面方向にも拡がり舞台演奏の折、意識的に室内照明を落とし舞台照明演出上の効果を出すことを目的とした場合に不具合を生じていた。
【０００７】
本発明はこれらの従来の構成が有していた問題を解決しようとするものであり
均一に譜面を照明すると共に、発光ダイオードからの光が譜面台の側面方向及び背面方向にも広がらず舞台照明演出効果を高めることを目的とする。
【課題を解決するための手段】
【０００８】
請求項１の発明にかかる携帯型譜面台照明器具は反射光を乱反射させ均一光源とする
目的で内部に塗装、シートの貼り付け等により反射機能を付加した開口部を下にした譜面台の幅と同等の長さの箱型支持台（２）または箱型支持台（２）本体が反射機能を持つ材料によって作製された箱型支持台（２）の内側に、発光ダイオード（３）の先端が箱型支持台（２）の開口部より突出しないように複数個設けることにより側面、背面への発光ダイオード（３）からの光の漏れがなく譜面台上の譜面を均一に照明することができる。
【０００９】
請求項２の発明にかかる携帯型譜面台照明器具は箱型支持台（２）と可とう性の
板あるいは棒（５）とを保持冶具（４）で接続し、譜面台固定用治具（６）に接続する。譜面台固定用治具には磁石、面ファスナー、クリップ等が連結され、これによりコの字型支持台は前後、上下、回転方向に移動が可能となり譜面のより均一な照明が可能となる。
【００１０】
請求項３の発明にかかる携帯型譜面台照明器具は発光ダイオード（３）と照明側電線（８）とを接続し、箱型支持台（２）に貫通させた穴（７）を通してジャック（９）と接続する。他方、電池（１２）と電池側電線（１１）とを接続し他端をプラグ（１０）に接続する。ジャック（９）とプラグ（１０）とを接続することにより電池駆動が出来、携帯が可能となる。
【発明の効果】
【００１１】
携帯型譜面台照明器具を用いることにより、譜面台の均一な照明が可能となる。開口
部下面以外からの光の漏れがなくなり、舞台照明演出効果を高めることが出来る。
【発明を実施するための形態】
【００１２】
以下、本発明の実施の形態を図１〜図４に基づいて説明する。
【００１３】
図１は本発明の実施の形態にかかる携帯型譜面台照明器具の全体構成を示す外観図で
ある。図２は本発明の実施の形態にかかる携帯型譜面台照明器具の図１のａ−ａ断面図である。図３は本発明の実施の形態にかかる携帯型譜面台照明器具の図１のｂ−ｂ断面図である。図４は図１を伸展したときの平面図である。
【００１４】
図２は、内面に反射コーテイングを施したプラスチック、金属、木材等あるいは材質そのものが反射機能を持つプラスチック、金属、木材等によって作られた箱型支持台（２）の内側に設けられた４〜１２個の発光ダイオード（３）からの光が箱型支持台（２）の両端に光が漏れることを防ぐための処置として、発光ダイオード（３）の発光部を箱型支持台（２）の開口部より外に突出しないようにし側面への光の漏れを防いでいる。
【００１５】
図３は、内面に反射コーテイングを施したプラスチック、金属、木材等あるいは材質そのものが反射機能を持つプラスチック、金属、木材等によって作られた箱型支持台（２）の内側に設けられた４〜１２個の発光ダイオード（３）からの光が箱型支持台（２）の背面に光が漏れることを防ぐための処置として、発光ダイオード（３）の発光部を箱型支持台（２）の開口部より外に突出しないようにし背面への光の漏れを防いでいる。
【００１６】
図４は、譜面台全面を均一に照明するために、上記遮光措置を施した箱型支持台（２）と煽り方向に回転可能な金属あるいは金属とプラスチックとの複合体によって作られた可とう性の板（５）とをプラスチック、金属、木材等で作られた固定用治具（４）で接続し、可とう性の板の他端を高さ調整の可能なクリップ、磁石、面ファスナー等の譜面台固定治具（６）と接続し電気的に接続された発光ダイオード（３）と照明部側電線（８）及びジャック（９）を電気的に接続された電池ボックス（１２）と電池側電線（１１）及びプラグ（１０）に接続することにより譜面台全体を均一に照明することができ携帯が可能となる。
【実施例１】
【００１７】
プラスチックの内面にアクリル塗装にて反射コーテイングを施した譜面台の幅より短い箱型支持台（２）の内側に白色発光ダイオード（３）を先端部が箱型支持台の開口部より突出しないように等間隔で６個設置する。
箱型支持台は金属でも良いがプラスチックと比較して重量が大きくなること加工
工数がかかることよりプラスチックが優れている。
この発光部を金属で出来た煽りが可能な可とう性の板（５）にプラスチックで作られた固定用治具（４）で接続する。一方可とう性の板（５）の他端には譜面台固定治具（６）として磁石を取り付け譜面台に固定する。発光ダイオード（３）は照明用電線（８）で接続され電線貫通穴（７）を通しジャック（９）に接続される。一方電池ボックス（１２）は電池用電線（１１）を通してプラグ（１０）に接続される。この構成により横方向及び背面への光の漏れがなく譜面全体を均一に照明することができ携帯が可能となる。
【図面の簡単な説明】
【００１８】
【図１】本発明の全体図
【図２】本発明の発光部分の長手方向の断面図
【図３】本発明の発光部分の長手方向に垂直な断面図
【図４】本発明の伸展したときの平面図
【符号の説明】
【００１９】
１  全体図
２  箱型支持台
３  発光ダイオード
４  固定用治具
５  可とう性の板
６  譜面台固定治具
７  電線貫通穴
８  照明用電線
９  ジャック
１０  プラグ
１１  電池用電線
１２  電池ボックス
【図１】
2011060434.tif 000003
【図２】
2011060434.tif 000004
【図３】
2011060434.tif 000005
【図４】
2011060434.tif 000006